(57)【要約】【課題】ビル区分と設備の分類と作業点検データを一元管理することが可能となり、目的に合ったデータを迅速に且つ容易に検索することができ、もってデータを有効活用することが可能となる。【解決手段】ビルの設備点検に関するデータ管理システムにおいて、データを入力するデータ入力装置と、前記入力装置から入力されたデータを出力する出力装置と、設備を系統ごとに分類した第１分類コードが格納された第１分類テーブルと、設備を細分類した第２分類コードが格納されてなる第２分類テーブルと、設備の点検作業ごとに分類した第３分類コードが格納されてなる第３分類テーブルと、前記入力手段に基づいて選択された各分類コード及び設備点検データを１レコードとして時系列にマスターファイルに蓄積する案件データ蓄積手段と、前記マスターファイルのコード種別ごとに検索キーを設定して検索処理する制御手段とを備えてなる。【選択図】図１
2005115589.tif 000002
【特許請求の範囲】
【請求項１】
ビルの設備点検に関するデータ管理システムにおいて、データを入力するデータ入力装置と、前記入力装置から入力されたデータを出力する出力装置と、設備を系統ごとに分類して各々に第１分類コードを付して格納されてなる第１分類テーブルと、設備を細分類して各々に第２分類コードを付すると共に前記第１分類コードと関連付けをして格納されてなる第２分類テーブルと、設備の点検作業ごとに分類して各々に第３分類コードを付すると共に前記第２分類コードと関連付けをして格納されてなる第３分類テーブルと、前記入力手段に基づいて前記第１分類テーブル乃至第３分類テーブルに格納されてなる第１分類コード乃至第３分類コードから選択された各分類コード及び設備点検データを１レコードとして時系列にマスターファイルに蓄積する案件データ蓄積手段と、前記マスターファイルのコード種別ごとに検索キーを設定して検索処理する制御手段と、を備えたことを特徴とするデータ管理システム。
【請求項２】
請求項１記載のデータ管理システムにおいて、前記第１分類テーブル乃至第３分類テーブルに格納されてなる第１分類コード乃至第３分類コードに加えて、ビル区分テーブルに格納されてなるビル区分コードを備え、前記入力手段に基づいて前記第１分類テーブル乃至第３分類テーブルに格納されてなる第１分類コード乃至第３分類コードから選択された各分類コード、ビル区分テーブルに格納されてなるビル区分コードから選択された区分コード及び設備点検データを１レコードとして時系列にマスターファイルに蓄積する案件データ蓄積手段と、前記マスターファイルのコード種別ごとに検索キーを設定して検索処理する制御手段と、を備えたことを特徴とするデータ管理システム。
【請求項３】
前記案件データ蓄積手段が、前記マスターファイル内の第１分類コード乃至第３分類コードを前記第１分類テーブル乃至第３分類テーブルから取得して、対応する各分類項目に格納すると共に、前記制御手段が、前記マスターファイル内の案件データを各分類別に定めた優先順位に従って昇順または降順に並び替えるソート手段を含むことを特徴とする請求項１記載のデータ管理システム。
【請求項４】
ビルの設備点検に関するデータを記録する記録媒体であって、設備を系統ごとに分類して各々に第１分類コードを付して格納されてなる第１分類テーブルと、設備を細分類して各々に第２分類コードを付すると共に前記第１分類コードと関連付けをして格納されてなる第２分類テーブルと、設備の点検作業ごとに分類して各々に第３分類コードを付すると共に前記第２分類コードと関連付けをして格納されてなる第３分類テーブルとを含んでおり、前記第１分類テーブル乃至第３分類テーブルに格納されてなる第１分類コード乃至第３分類コードから選択された各分類コード及び設備点検データからなる案件データを１レコードとして時系列にマスターファイルに蓄積されているコンピュータ読み取り可能なデータ記録媒体。
【請求項５】
請求項４記載のコンピュータ読み取り可能なデータ記録媒体において、前記第１分類テーブル乃至第３分類テーブルに加えてビル区分テーブルを含んでおり、前記第１分類テーブル乃至第３分類テーブルに格納されてなる第１分類コード乃至第３分類コードから選択された各分類コード、ビル区分テーブルに格納されてなるビル区分コードから選択された区分コード及び設備点検データからなる案件データを１レコードとして時系列にマスターファイルに蓄積されているコンピュータ読み取り可能なデータ記録媒体。
【発明の詳細な説明】
【技術分野】
【０００１】
本発明は、ビルの設備点検に関するデータ管理システム並びにデータ記録媒体に関し、詳細には、ビルの設備管理の要因を設備とその点検作業を含む複数段階に分類し、ビルの設備点検に関するデータを前記の各要因とそれぞれ関連付けて蓄積することによって、データの解析が容易にできて有効活用することができるデータ管理システム並びにデータ記録媒体に関するものである。
【背景技術】
【０００２】
ビルの設備管理は奥行きは浅いが間口が広く管理する内容も多岐に渡り、細かい情報が多く管理上の情報データ量は非常に多い。「管理用ビルコンピュータ」（BMS）の中に、ここで言う第一分類乃至第二分類までの分類で記録を行なうものはないわけではないが、従来から、そして現在でも多くの現場ではノートに記録しているやり方であり、過去の事象の検索などままならないのが現状である。ただ、記録し保存しているだけで後の活用までは十分に考えられ作られているものはないようであり、まして、作業レベルの第三分類までを関連付け他ビルも併せて管理するようなシステムはない。間口が広いが故に、情報も多岐にわたり作業レベルでの分類分けをしておかないとデータとしての事後の活用が充分に出来ないという問題がある。本願発明者は、このような背景からデータベースを基本とした本システムを考えてきた。また、ビルの設備管理に関する特許文献として以下のものがある。
【特許文献１】特開平０７−０２１２５１号公報
【特許文献２】特開平０８−３３９３９８号公報
【特許文献３】特開２００１−０１４３８６号公報
【発明の開示】
【発明が解決しようとする課題】
【０００３】
本願発明者は、ビルにおける基本的主要設備は各ビル間で大きな違いはなく、多くのビル区分に対して同一システムで対応できることを知見し、このように統一的な仕組みを利用したビル管理の観点から本システムを考えたものであって、本発明は、管理ファクター（要因）としての設備を系統ごとに分類してし、設備を用途別乃至機能別に細分類すると共に設備を点検作業の観点から分類し、更に、ビル区分毎に、前記各分類とビルの設備点検に係る案件データとを関連付けて１レコードとして一個のマスターファイルに蓄積し、これらのデータを一元管理するとともに前記ビル区分や各分類項目に検索キーを設定することによって、前記の問題点を解消し、目的に合ったデータを迅速に且つ容易に索出することができ、もってデータを有効活用することを主たる目的とするものである。
【課題を解決するための手段】
【０００４】
前記の課題を解決するために、本発明は、ビルの設備点検に関するデータ管理システムにおいて、データを入力するデータ入力装置と、前記入力装置から入力されたデータを出力する出力装置と、設備を系統ごとに分類して各々に第１分類コードを付して格納されてなる第１分類テーブルと、設備を細分類して各々に第２分類コードを付すると共に前記第１分類コードと関連付けをして格納されてなる第２分類テーブルと、設備の点検作業ごとに分類して各々に第３分類コードを付すると共に前記第２分類コードと関連付けをして格納されてなる第３分類テーブルと、前記入力手段に基づいて前記第１分類テーブル乃至第３分類テーブルに格納されてなる第１分類コード乃至第３分類コードから選択された各分類コード及び設備点検データを１レコードとして時系列にマスターファイルに蓄積する案件データ蓄積手段と、前記マスターファイルのコード種別ごとに検索キーを設定して検索処理する制御手段と、を備えたことを特徴とするデータ管理システムとする（請求項１）。
【０００５】
また、前記の課題を解決するために、本発明は、前記のデータ管理システムにおいて、前記第１分類テーブル乃至第３分類テーブルに格納されてなる第１分類コード乃至第３分類コードに加えて、ビル区分テーブルに格納されてなるビル区分コードを備え、前記入力手段に基づいて前記第１分類テーブル乃至第３分類テーブルに格納されてなる第１分類コード乃至第３分類コードから選択された各分類コード、ビル区分テーブルに格納されてなるビル区分コードから選択された区分コード及び設備点検データを１レコードとして時系列にマスターファイルに蓄積する案件データ蓄積手段と、前記マスターファイルのコード種別ごとに検索キーを設定して検索処理する制御手段と、を備えたことを特徴とするデータ管理システムとすることが好ましい（請求項２）。
【０００６】
また、前記の課題を解決するために、本発明は、前記案件データ蓄積手段が、前記マスターファイル内の第１分類コード乃至第３分類コードを前記第１分類テーブル乃至第３分類テーブルから取得して、対応する各分類項目に格納すると共に、前記制御手段が、前記マスターファイル内の案件データを各分類別に定めた優先順位に従って昇順または降順に並び替えるソート手段を含むことを特徴とする前記のデータ管理システムとすることが好ましい（請求項３）。
【０００７】
また、前記の課題を解決するために、本発明は、ビルの設備点検に関するデータを記録する記録媒体であって、設備を系統ごとに分類して各々に第１分類コードを付して格納されてなる第１分類テーブルと、設備を細分類して各々に第２分類コードを付すると共に前記第１分類コードと関連付けをして格納されてなる第２分類テーブルと、設備の点検作業ごとに分類して各々に第３分類コードを付すると共に前記第２分類コードと関連付けをして格納されてなる第３分類テーブルとを含んでおり、前記第１分類テーブル乃至第３分類テーブルに格納されてなる第１分類コード乃至第３分類コードから選択された各分類コード及び設備点検データからなる案件データを１レコードとして時系列にマスターファイルに蓄積されているコンピュータ読み取り可能なデータ記録媒体とする（請求項４）。
【０００８】
また、前記の課題を解決するために、本発明は、前記のコンピュータ読み取り可能なデータ記録媒体において、前記第１分類テーブル乃至第３分類テーブルに加えてビル区分テーブルを含んでおり、前記第１分類テーブル乃至第３分類テーブルに格納されてなる第１分類コード乃至第３分類コードから選択された各分類コード、ビル区分テーブルに格納されてなるビル区分コードから選択された区分コード及び設備点検データからなる案件データを１レコードとして時系列にマスターファイルに蓄積されているコンピュータ読み取り可能なデータ記録媒体とすることが好ましい（請求項５）。
【発明の効果】
【０００９】
本発明のビルの設備点検に関するデータ管理システム並びにデータ記録媒体は、前記のように管理ファクター（要因）として、設備を系統ごとに分類してコード化した第１分類コード、設備を細分類してコード化した第２分類コード、設備の点検作業ごとに分類してコード化した第３分類コードの各項目に検索キーを設定したので、設備系統にとどまらず、設備を細分類化したレベルで且つ点検作業の内容の観点からデータをきめ細かく正確に分析することができ、クレーム対策や将来の改修計画が立てやすく、また、報告書の作成も容易に且つ迅速に対応できる利点がある。また、ファイルはマスタファイル１個で対応可能なので重複したファイルを作る無駄を排除して記憶装置の有効活用を図るとともにファイル処理効率を高める効果がある。
【発明を実施するための最良の形態】
【００１０】
本発明を実施するための最良の形態について、以下、図に基づいて詳細に説明する。
このデータ管理システムは、データを入力するデータ入力装置と、前記入力装置から入力されたデータを出力する出力装置と、設備を系統ごとに分類して各々に第１分類コードを付して格納されてなる第１分類テーブルと、設備を細分類して各々に第２分類コードを付すると共に前記第１分類コードと関連付けをして格納されてなる第２分類テーブルと、設備の点検作業ごとに分類して各々に第３分類コードを付すると共に前記第２分類コードと関連付けをして格納されてなる第３分類テーブルと、ビル区分テーブルに格納されてなるビル区分コードと、前記入力手段に基づいて前記第１分類テーブル乃至第３分類テーブルに格納されてなる第１分類コード乃至第３分類コードから選択された各分類コード、ビル区分テーブルに格納されてなるビル区分コードから選択された区分コード及び設備点検データを１レコードとして時系列にマスターファイルに蓄積する案件データ蓄積手段と、前記マスターファイルのコード種別ごとに検索キーを設定して検索処理する制御手段と、を備えてなる。
【００１１】
図１は、本実施の形態によるビルの設備点検に関するデータ管理システムのハードウエア構成図である。このデータ管理システムは、システム全体を統括的に制御するようにプログラムされた主制御部（制御手段）１に記憶装置２が接続されている。また、主制御部１には、入出力制御部３を介してデータの入力に用いるキーボードやマウス等の入力装置４及び各種演算結果その他の索出データを出力するモニタ表示画面やプリンタ等の出力装置５が接続されている。
【００１２】
主制御部１は、コンピュータの動作を制御するオペレーティングシステム（Ｏｐｅｒａｔｉｎｇ  ｓｙｓｔｅｍ）等のプログラム、及び所要のデータを格納するための内部メモリを有し、これらのプログラムによって前記の検索処理やソート手段が実行されるのである。記憶装置２は、内部記憶装置と外部記憶装置を含み、例えば、ハードディスク、フレキシブルディスク、光ディスク（ＭＯ）等があり、ビル区分テーブル２１、第１分類テーブル２２、第２分類テーブル２３、第３分類テーブル２４、マスタファイル２５が格納されている。
【００１３】
本実施の形態では、ビル区分名２１ａとしてビル区分Ａ、ビル区分Ｂ、ビル区分Ｃ、ビル区分Ｄを設定する。そして、各ビル区分に各々「Ａ」、「Ｂ」、「Ｃ」、「Ｄ」というビル区分コード２１ｂを割り当てると共に、各ビル区分コード２１ｂをビル区分テーブル２１の所定記憶エリアにビル区分名２１ａと対応付けて格納しておく。これをビル区分マスタとして使用することができる。図２（ａ）はこのビル区分テーブル２１の一例を示すものである。
【００１４】
また、本実施の形態では、例えば、設備を系統ごとに分類した第１分類名２２ａとして、「電気」、「空調」、「ボイラー」を設定する。これら各第１分類に「２２１」、「２２２」、「２２３」という第１分類コード２２ｂを割り当てると共に、各第１分類コード２２ｂを第１分類テーブル２２の所定記憶エリアに第１分類名２２ａと対応付けて格納しておく。これを第１分類マスタとして使用することができる。図２（ｂ）はこの第１分類テーブル２２の一例を示すものである。この第１分類テーブル２２は、前記ビル区分テーブル２１の各ビル区分コード２１ｂと関連付けして格納されている。この第１分類は、設備を電気系統、空調系統のように系統ごとに大分類したものであり、管理対象となるビル全体の設備について傾向を把握するのに便利である。第１分類には、前記の他に水処理設備、ガス設備、エネルギー管理、防災設備、衛生設備等、そのビル管理に応じて適宜設定することができる。  
【００１５】
また、本実施の形態では、前記の系統ごとに設備を細分類して、例えば、前記電気２２１系統についての第２分類名２３ａとして、「受変電設備」、「配電盤設備」、「分電盤設備」、「蓄電池設備」を設定する。これら各第２分類に「２３０１」、「２３０２」、「２３０３」、「２３０４」という第２分類コード２３ｂを割り当てると共に、各第２分類コード２３ｂを第２分類テーブル２３の所定記憶エリアに第２分類名２３ａと対応付けて格納しておく。同様にして、前記空調２２２系統についての第２分類名２３ａとして、「送排風機」、「ダクト」、「ヒートポンプ」、「全熱交換器」を設定する。これら各第２分類に「２３１１」、「２３１２」、「２３１３」、「２３１４」という第２分類コード２３ｂを割り当てると共に、各第２分類コード２３ｂを第２分類テーブル２３の所定記憶エリアに第２分類名２３ａと対応付けて格納しておく。以下同様にして、前記ボイラー２２３系統については、「２３２１」、「２３２２」、「２３２３」、「２３２４」という第２分類コード２３ｂを割り当て、第２分類テーブルの所定記憶エリアに第２分類名２３ａと対応付けて格納しておく。
【００１６】
そして、各系統別の第２分類コード２３ｂの先頭アドレス（ｃ０１，ｃ０５，ｃ０９）及び第２分類コード２３ｂの最終アドレス（ｃ１２）を第１分類テーブル２２の対応する分類に属するポインタ領域２２ｃにそれぞれ格納しておく。これによって、第１分類の「電気２２１」を指定すると、そのポインタ領域の先頭アドレスｃ０１にある「受発電設備」以下の第２分類コード（２３０１〜２３０４）を表示することが可能となる。同様に「空調２２２」を指定すると、そのポインタ領域２２ｃの先頭アドレスｃ０６にある「送排風機」以下の第２分類コード（２３１１〜２３１４）を表示することが可能となり、「ボイラ設備」を指定すると、そのポインタ領域の先頭アドレスｃ１１にある「ボイラ」以下の第２分類コード（２３２１〜２３２４）を表示することが可能となる。この第２分類テーブルを第２分類マスタとして使用することができる。図２（ｃ）はこの第２分類テーブル２３の一例を示すものである。この第２分類は、設備を系統毎に細分類したものであり、個々の設備の状態をより具体的なレベルで把握するのに便利である。第２分類の内容は、前記の他に各設備系統に応じて適宜設定することができる。
【００１７】
また、本実施の形態では、前記の系統ごとに設備の点検作業を分類して、例えば、前記電気２２１系統についての第３分類名２４ａとして、「断線調査」、「照度調査」、「スイッチ点検」、「管球交換作業」を設定し、対応するコード２４ｂをそれぞれ「２４０１」、「２４０２」、「２４０３」、「２４０４」と定め、空調２２２系統についての第３分類名２４ａとして、「フィルタ交換」、「フィルタ清掃」、「送排風機点検」、「ダンパ調整」を設定し、対応するコード２４ｂをそれぞれ「２４１１」、「２４１２」、「２４１３」、「２４１４」と定め、ボイラ２２３系統についての第３分類名２４ａとして、「動作点検」、「軟水再生作業」、「煤煙測定」、「圧力点検」を設定し、対応するコード２４ｂをそれぞれ「２４２１」、「２４２２」、「２４２３」、「２４２４」と定める。
【００１８】
また、各系統別の第３分類コード２４ｂの先頭アドレスｄ０１，ｄ０５，ｄ０９及び最終アドレスｄ１２を第１分類テーブル２２’の対応する分類に属するポインタ領域２２ｄにそれぞれ格納しておく。図２は、以上のようにして作成されたビル区分テーブル、第１分類テーブル及び第３分類テーブルの相互関係を示し、図３は前記第１分類テーブル２２’と第３分類テーブル２４との相互関係を示す説明図である。第１分類テーブル２２にポインタ領域２２ｃ及び２２ｄをそれぞれ設定して、この共通の第１分類テーブル２２を介してビル区分テーブル、第２分類テーブル及び第３分類テーブルを前記のように相互に関連付けて格納するように構成してもよい。第３分類は、設備系統ごとの点検作業を細分類したものであり、設備の状態を作業点検の観点から把握するのに便利である。この第３分類名２４ａについても前記の他に各設備系統に応じて適宜設定することができる。
【００１９】
本実施の形態においては、前記の第１分類コード乃至第３分類コードから選択された各分類コード及び設備点検データを１レコードとして時系列にマスターファイルに蓄積されている。ここで、設備点検データは、前記の入力装置４によって、設備点検の内容やその点検の結果或いは担当者の氏名や点検した年月日時刻等を具体的に入力したデータである。担当者の氏名は、予めテーブルに格納したものを画面に表示して選択し、これをテーブルから取得して、対応する各項目に格納するようにしてもよい。また、年月日時刻データは、予めコンピュータのシステムが備えている年月日時刻データを取得してファイルに格納するようにしてもよい。これらの操作は、プログラムに従って主制御部１が実行することとなる。
【実施例】
【００２０】
次に、本発明の実施例として、案件データの蓄積手順及び検索手順について図５〜図１４を参照して説明する。
図５は、この場合の主制御部１による制御手順を示すフローチャートであり、図６〜図１４は、各手順における出力装置であるモニタ表示画面５１の変化例を示す図である。  
【００２１】
主制御部１は、先ず、ビル区分コードが入力されたか否かを判定する（Ｓ２０２）。このとき表示画面５１には、図６に示すように「入力」モードの選択によりビル区分コードの入力を指示する（Ｓ２０１）と共にモニタ画面中央のウインドウにビル区分名リストが現れる。一のビル区分コードが選択されることにより記憶装置２内のビル区分テーブル２１が特定される。すると、第１分類コードの入力を指示する（Ｓ２０３）と共にモニタ画面左のウインドウに第１分類名リストが現れる。図示の例は、ビル区分名（ビル区分コード）が選択され（Ｓ２０２）、第１分類名リストが現れた状態を示すものである。
【００２２】
第１分類名が選択されるとモニタ表示画面５１は、図７に示すように第２分類名及び第３分類名の選択を指示する画面に切り替わる（Ｓ２０５，Ｓ２０７）。図７は、第１分類を選択入力後、それに関連する第２・第３分類を表示して、その内容を選択し、併せて、建物の階数と点検担当者を選択入力した状態を表示した画面である。これらを入力すると、図８に示すように統計区分欄、点検内容記入欄及び所要時間欄に情報の入力を指示する（Ｓ２０９）。図８は前記の情報を入力した状態の画面を示す。以上の一通りの情報が入力されると、これらをマスタファイル２５に蓄積する（Ｓ２１０，Ｓ２１１）。図９〜図１２は、入力されたデータをそれぞれ画面をスクロールさせて表示した表示見本である。
【００２３】
次に、案件データが蓄積されたマスタファイル２５の内容を図４に示す。図４を参照すると、セルの左側から順に「日付」、「ビル区分」、「第１分類」、「第２分類」、「第３分類」、「設備点検データ」と表示され、各セル毎にデータが時系列に蓄積されている。「日付」、「ビル区分」、「第１分類」、「第２分類」、「第３分類」、「設備点検データ」の何れにも検索キーが設定できるので、例えば、所定年月日〜所定年月日の期間が指定された分類のデータを検索抽出して、モニタ画面に表示することが容易に且つ迅速にできる。
【００２４】
以下に検索の手順について、図１３及び図１４を参照して説明する。「検索」モードの入力により、主制御部１が入出力制御部３を介して出力装置５のモニタ表示画面５１を図１３のように切り替える。画面左の作業年月日、ビル区分、階、分類項目に検索項目をそれぞれ選択入力して、検索タブをクリックすると、主制御部１はマスタファイル２５内に格納されているデータから前記の検索条件に適合するデータを抽出し、これらを図１４ののように表示する。本図の場合は、期間が「2003.8.1~2003.8.15」、ビル区分が「Ａビル」、階数が「全階」、第１分類が「防災」を検索キーとして検索した例である。なお、検索キーの設定や処理の態様は、上述の例に限らず任意に設定することができるのは勿論である。
また、図１５は、ビル区分マスタの表示画面であり、図１６は、第１分類のマスタ表示画面であり、図１７は、第２分類のマスタ表示画面であり、図１８は、第３分類のマスタ表示画面である。それぞれの画面で新規登録や削除をすることができる。
【産業上の利用可能性】
【００２５】
今後、ビルの老朽化が進行するなかで、ビルの設備管理がますます重要になってくる。そして、ビルの設備管理にとって設備点検は欠かせない業務であり、設備点検によって得られたデータを有効活用することはビル管理にとって不可欠である。そのために、本システムを使用し蓄積した情報と各設備毎に毎月実施される各機器の月例点検などのデータを抱き合わせ、ビルオーナーへの改善提案などが今後のビル管理運営には必要になりデータベースを基本とした検索が自由に出来る本システムの利用度合いは高い。
【図面の簡単な説明】
【００２６】
【図１】本発明のデータ管理システムの一実施形態のハードウエア構成図である。
【図２】本実施形態のビル区分テーブル、第１分類テーブル、及び第２分類テーブルの相互関係を示す説明図である。
【図３】本実施形態の第１分類テーブルと第３分類テーブルとの相互関係を示す説明図である。
【図４】本実施形態のマスタファイルの構成図である。
【図５】本実施例において、データの蓄積制御手順を示すフローチャートである。
【図６】本実施例によるモニタ画面のレイアウト例（ビル区分名を選択時）を示す図である。
【図７】本実施例によるモニタ画面のレイアウト例（第１〜３分類名、担当者名を選択時）を示す図である。
【図８】本実施例によるモニタ画面のレイアウト例（各情報を入力時）を示す図である。
【図９】本実施例によるモニタ画面のレイアウト例（入力データ表示見本）を示す図である。
【図１０】本実施例によるモニタ画面のレイアウト例（入力データ表示見本）を示す図である。
【図１１】本実施例によるモニタ画面のレイアウト例（入力データ表示見本）を示す図である。
【図１２】本実施例によるモニタ画面のレイアウト例（入力データ表示見本）を示す図である。
【図１３】本実施例によるモニタ画面のレイアウト例（検索入力画面表示見本）を示す図である。
【図１４】本実施例によるモニタ画面のレイアウト例（検索結果画面表示見本）を示す図である。
【図１５】本実施例によるモニタ画面のレイアウト例（ビル区分マスタ表示見本）を示す図である。
【図１６】本実施例によるモニタ画面のレイアウト例（第１分類マスタ表示見本）を示す図である。
【図１７】本実施例によるモニタ画面のレイアウト例（第２分類マスタ表示見本）を示す図である。
【図１８】本実施例によるモニタ画面のレイアウト例（第３分類マスタ表示見本）を示す図である。
【符号の説明】
【００２７】
１：主制御部（ＣＰＵ）、２：記憶装置、２１：ビル区分テーブル、２２：第１分類テーブル、２３：第２分類テーブル、２４：第３分類テーブル、２５：マスタファイル、３：入出力制御部、４：入力装置、５：出力装置、５１：モニタ表示画面
【図１】
2005115589.tif 000003
【図２】
2005115589.tif 000004
【図３】
2005115589.tif 000005
【図４】
2005115589.tif 000006
【図５】
2005115589.tif 000007
【図６】
2005115589.tif 000008
【図７】
2005115589.tif 000009
【図８】
2005115589.tif 000010
【図９】
2005115589.tif 000011
【図１０】
2005115589.tif 000012
【図１１】
2005115589.tif 000013
【図１２】
2005115589.tif 000014
【図１３】
2005115589.tif 000015
【図１４】
2005115589.tif 000016
【図１５】
2005115589.tif 000017
【図１６】
2005115589.tif 000018
【図１７】
2005115589.tif 000019
【図１８】
2005115589.tif 000020